(57)【特許請求の範囲】
【請求項１】
蓋２に固着される本体ケース３と、固定フレーム１側のストライク４に対して進退摺動するように本体ケース３に装備されたロック体５と、本体ケース３に回転可能に装備され、上端部に回転操作工具６の嵌合部８を形成してある垂直配置の操作軸７と、制止機構９を介在させて本体ケース２に締付け固着され、操作軸７と一体回転するカムプレート１０と、カムプレート１０の先端部に設けられ、ロック体５の中間部の受動スロット１１に係合する駆動体１２とからなり、前記制止機構９は、本体ケース３の底壁１３に形成された凹部１４と、操作軸７に嵌められ、前記底壁１３に摺接するホルダープレート１６と、ホルダープレート１６の貫通孔１７に収容されたボール１８と、ホルダープレート１６に重ねて操作軸７に嵌められたバネプレート１９とで構成されており、ロック体５の先端部がストライク４に係合したロック状態においては、ボール１８が前記凹部１４に弾性係合するようにした蓋の跳ね上がり防止用ロック装置。
【請求項２】
本体ケース３の底壁１３に操作軸７を中心とする同一円弧上に前記凹部１４と別の凹部１５が配置されており、ロック体５の先端部がストライク４に係合したロック状態においては、ボール１８が一方の凹部１４に弾性係合し、ロック体５がストライク４から離脱したロック解除状態においては、ボール１８が他方の凹部１５に弾性係合することを特徴とする請求項１に記載のロック装置。
【請求項３】
バネプレート１９にボール１８の一部が係合する小孔２０を形成してあることを特徴とする請求項１または請求項２に記載のロック装置。
【請求項４】
本体ケース３の上面壁２１に回転操作工具６の挿入用透孔２２を形成し、操作軸７を本体ケース３の内部に収納したことを特徴とする請求項１、請求項２または請求項３に記載のロック装置。
【発明の詳細な説明】
【０００１】
【発明の属する技術分野】
本発明は、道路の側溝や排水桝の蓋に使用される跳ね上がり防止用ロック装置に関するものである。
【０００２】
【従来の技術】
これらの蓋は内部の清掃のために取り外せるようになっており、閉蓋状態は蓋の自重のみによって維持されている。そのため、高速道路などにおいて重量車両が蓋上面を通過したとき、蓋が固定フレームから跳ね上がり、跳ね飛ばされた蓋が二次的な事故を誘発することがある。
【０００３】
蓋の跳ね上がり防止対策として、蓋をボルトによって固定フレームに止め付けることが提案されている（例えば特許文献１、特許文献２参照）。
このボルト締めによれば、蓋の跳ね上がりは確実に防止できるのであるが、側溝や排水桝の清掃を行う毎にボルトを回して外さなければならないので、作業が煩雑である。交通量が多い場合には、締付ボルトが蓋や路面の振動を受けて緩んで無意図的に外れてしまう惧れもある。
【０００４】
蓋の格子目内に本体ケースを嵌め込んで固着し、本体ケースにロック軸を往復スライド可能及び回動可能に装備し、ロック軸の下面にスライド阻止片を固定し、蓋側にスライド阻止片と係脱するストッパーを設け、ロック軸の先端部が固定フレーム側のロック穴にロック係合した施錠状態において、スライド阻止片１３にストッパーを係合させることによって、ロック軸を後退不能に拘束する蓋用ロック装置も提案されている（特許文献３参照）。
【０００５】
しかしながら、このロック装置では、ロック軸の移動拘束を解除するには、蓋の格子目に手を差し入れて、スライド阻止片の下端縁に指先を掛け、本体ケースの軸受孔を中心にしてスライド阻止片を跳ね上げ回動させなければならない。この跳ね上げ回動の操作は、蓋の格子目の比較的狭い空間で行なわれるため、作業者の手先や衣服が蓋の格子部材に触れたり引っ掛かったりして操作が円滑になされず煩雑である。
また、スライド阻止片の自重のみによってスライド阻止片とストッパーの係合が維持されているに過ぎないので、強い風圧や振動が作用したときには、ストッパーとスライド阻止片の係合が無意図的に解除されてしまう惧れもある。
【０００６】
【特許文献１】
実開昭６２―１８５７５０号公報
【特許文献２】
実開昭６３−１４６４７号公報
【特許文献２】
特開平２００１−２２７０５２号公報
【０００７】
【発明が解決しようとする課題】
したがって本発明の目的は、蓋の格子目から手を差込む必要なく簡便にロック状態の成立と解除操作を行なえるとともに、振動などによってロック状態が無意図的に解除されず、蓋の跳ね上がり防止機能を永続的に保持できるロック装置を提供することである。
【０００８】
【課題を解決するための手段】
請求項１の発明の跳ね上がり防止用ロック装置は、蓋２に固着される本体ケース３と、固定フレーム１側のストライク４に対して進退摺動するように本体ケース３に装備されたロック体５と、本体ケース３に回転可能に装備され、上端部に回転操作工具６の嵌合部８を形成してある垂直配置の操作軸７と、制止機構９を介在させて本体ケース２に締付け固着され、操作軸７と一体回転するカムプレート１０と、カムプレート１０の先端部に設けられ、ロック体５の中間部の受動スロット１１に係合する駆動体１２とからなる。
【０００９】
前記制止機構９は、本体ケース３の底壁面１３に形成された凹部１４と、操作軸７に嵌められ、前記底壁１３に摺接するホルダープレート１６と、ホルダープレート１６の貫通孔１７に収容されたボール１８と、ホルダープレート１６に重ねて操作軸７に嵌められたバネプレート１９とで構成されており、ロック体５の先端部がストライク４に係合したロック状態においては、ボール１８が前記凹部１４に弾性係合する。
【００１０】
請求項２の発明のロック装置は、請求項１の発明の前記構成に加えて、本体ケース３の底壁１３に操作軸７を中心とする同一円弧上に前記凹部１４と別の凹部１５が配置されており、ロック体５の先端部がストライク４に係合したロック状態においては、ボール１８が一方の凹部１４に弾性係合し、ロック体５がストライク４から離脱したロック解除状態においては、ボール１８が他方の凹部１５に弾性係合する。
【００１１】
請求項３の発明のロック装置は、請求項１または請求項２の発明の前記構成に加えて、バネプレート１９にボール１８の一部が係合する小孔２０を形成してある。
【００１２】
請求項４の発明のロック装置は、請求項１、請求項２または請求項３の発明の前記構成に加えて、本体ケース３の上面壁２１に回転操作工具６の挿入用透孔２２を形成し、操作軸７を本体ケース３の内部に収納する。
【００１３】
【発明の作用】
側溝や排水桝内部の清掃作業が終了した後、蓋２を固定フレーム１に内嵌め装填するときには、ロック体５は後退位置にあり、制止機構９のボール１８が本体ケース３の片側の凹部１５に弾性係合している。
蓋２の装填終了後、蓋２の格子目の上方からドライバーなどの回転操作工具６を操作軸７の上端部の工具用嵌合部８に嵌合させ、操作軸７を所定方向に回転させると、操作軸７と一体的にカムプレート１０が回動し、カムプレート１０の駆動体１２がロック体５の受動スロット１１の内面を押すため、ロック体５は前進摺動させられ、蓋２の外周輪郭から突出したロック体５の先端部は、固定フレーム１側のストライク４に係合する。
【００１４】
ロック体５が解錠位置から施錠位置へ移動するとき、ホルダープレート１６が操作軸７と一体的に回動するため、ボール１８はバネプレート１９の弾性反発力に抗して本体ケース３の底壁１３の前記凹部１５から脱出し、底壁１３に摺接しながら最後に他側の凹部１４に弾性係合する。
ロック体５の先端部がストライク４に係合したロック状態は、ボール１８が前記凹部１４に弾性係合することによって保持され、蓋２は通過車両などによる跳ね上がりを阻止される。
【００１５】
蓋２を取外すときには、回転操作工具６によって操作軸７を前記とは反対方向に回転させる。この回転によってカムプレート１０が回動し、カムプレート１０の駆動体１２が受動スロット１１の反対側の内面を押すため、ロック体５は後退摺動させられ、ロック体５の先端部はストライク４から脱出して蓋２の外周輪郭内に入り込む。
このとき、ボール１８はバネプレート１９の弾性反発力に抗して前記凹部１４から脱出し、前記底壁１３に摺接しながら最後に反対側の凹部１５に弾性係合する。
【００１６】
【発明の実施の形態】
図示の実施例では、図１１に示したように箱状の本体ケース３は蓋２の格子部材３８の下面に溶接によって固着され、角筒状のストライク４は固定フレーム１の下面に溶接によって固着されている。図７に示したように厚板状のロック体５は本体ケース３の一対の起立壁２３，２４の矩形スロット２５，２６に摺動可能に嵌挿されている。図６に示したようにボルトよりなる操作軸７は、底壁１３の端縁部の軸受孔２７に回転可能に嵌挿されており、底壁１３の下面側においてはバネ座金２８と座金２９及びナット３０が嵌められ、底壁１３の上面側においては、カムプレート１０と制止機構９のホルダープレート１６及びバネプレート１９、並びに座金３１とカムプレート１０が嵌められ、前記ナット３０と操作軸７の頭部３２との間に前記嵌め合わせ部材が締付け固着される。
【００１７】
回転操作工具６の嵌合部８は、図８に示したように操作軸７の頭部３２の上面にドライバー溝として形成されている。ボール１８はスチール製であり、ホルダープレート１６の貫通孔１７内で転動可能である。
図９に示したように、ホルダープレート１６の基端部には角形孔３３を形成してあり、バネプレート１９の基端部には角形孔３４を形成してあり、ホルダープレート１６とバネプレート１９は、これら角形孔３３，３４において操作軸７の角軸部３５に相対回転しないように嵌合されている。カムプレート１０の基端部にも角形孔３６が形成されており、カムプレート１０は角形孔３６にて操作軸７の角軸部３５に相対回転しないように嵌合されている。
【００１８】
本体ケース３は蓋１の格子部材３８の間に画定された格子目３９内に主要部分が現れるように配置されている。駆動体１２はピンで構成され、カムプレート１０の先端部の受孔３７に嵌挿した固着されている。回転操作工具６の挿入用透孔２２は、本体ケース３の上面壁２１の端縁部に円形状に形成されている。
【００１９】
【発明の効果】
請求項１の発明のロック装置では、ロック体５を進退駆動させるカムプレート１０が制止機構９を介在させて本体ケース２に締付け固着されており、ロック体５の先端部がストライク４に係合したロック状態においては、制止機構９のホルダープレート１６の貫通孔１７に支持されたボール１８が、制止機構９のバネプレート１９に押されて本体ケース３の底壁面１３の凹部１４に弾性係合しているため、カムプレート１０とロック体５は当該施錠位置に移動不能に拘束制止される。
交通量が多い道路においても、操作軸７とカムプレート１０が蓋２や路面の振動を受けて緩んで、ロック体５がストライク４から無意図的に外れてしまう惧れがなく、ロック状態が確実に保持されるため、通過車両から受ける衝撃などによって蓋２が跳ね飛ばされる惧れがない。
【００２０】
また、カムプレート１０を回転操作する操作軸７は垂直配置して本体ケース３に装着してあり、操作軸７の上端部にドライバーなどの回転操作工具６の嵌合部８を形成してあるため、蓋２の格子目の中に手を差し入れる必要なく、ロック状態の成立操作と解錠操作が簡単に行なえる。
【００２１】
請求項２の発明のロック装置では、請求項１の発明の前記効果に加えて、本体ケース３の底壁１３に操作軸７を中心とする同一円弧上に２個の凹部１４と凹部１５を配置してあり、ロック体５がストライク４から離脱したロック解除状態においては、ボール１８が前記凹部１５に弾性係合するため、ロック体５は蓋２の外周輪郭内に後退した位置に堅固に保持され、蓋２を固定フレーム１に内嵌め装填する際に、ロック体５の先端部が固定フレーム１と干渉して、ロック体５や固定フレーム１を歪曲変形させる惧れがない。
【００２２】
請求項３の発明のロック装置では、請求項１または請求項２の発明の前記効果に加えて、バネプレート１９にボール１８の一部が係合する小孔２０を形成してあるため、バネプレート１９の弾性反発力がボール１８に対して集中的に作用し、ボール１８を凹部１４または凹部１５に強く係合させるので、ロック状態の保持またはロック解除状態の保持が一層確実かつ堅固になされる。
【００２３】
請求項４の発明のロック装置では、請求項１、請求項２または請求項３の発明の前記効果に加えて、本体ケース３の上面壁２１に回転操作工具６の挿入用透孔２２を形成してあり、操作軸７を本体ケース３の内部に収納してあるため、蓋２の取扱い作業に当たって操作軸７の存在が邪魔とならず、操作軸７が異物との接触によって歪曲損傷することもない。
【図面の簡単な説明】
【図１】  本発明の一実施例に係る蓋の跳ね上げ防止用ロック装置の平面図である。
【図２】  図１のロック装置の正面図である。
【図３】  図１のロック装置の右面図である。
【図４】  図１のロック装置の底面図である。
【図５】  図１のロック装置の背面図である。
【図６】  図２のＡ−Ａ線断面図である。
【図７】  図１のＢ−Ｂ線断面図である。
【図８】  図２のＣ−Ｃ線断面図である。
【図９】  図１のロック装置に組込んだ制止機構の分解平面図である。
【図１０】  図９の制止機構の組立状態における拡大縦断面図である。
【図１１】  図１のロック装置の使用状態における縦断断面図であり、蓋はロック解除状態にある。
【符号の説明】
１  固定フレーム
２  蓋
３  本体ケース
４  ストライク
５  ロック体
６  回転操作工具
７  操作軸
８  工具嵌合部
９  制止機構
１０  カムプレート
１１  受動スロット
１２  駆動体
１３  本体ケースの底壁面
１４  ボール係合用凹部
１５  ボール係合用凹部
１６  ホルダープレート
１７  ホルダープレートの貫通孔
１８  ボール
１９  バネプレート
２０  バネプレートの小孔
２１  本体ケースの上面壁
２２  回転操作工具の挿入用透孔
２３  本体ケースの起立壁
２４  本体ケースの起立壁
２５  ロック体の嵌挿用スロット
２６  ロック体の嵌挿用スロット
２７  底壁の軸受孔
２８  バネ座金
２９  座金
３０  固着用ナット
３１  座金
３２  操作軸の頭部
３３  ホルダープレートの角形孔
３４  バネプレートの角形孔
３５  操作軸の角軸部
３６  カムプレートの角形孔
３７  カムプレートの駆動体用受孔
３８  蓋の格子部材
３９  蓋の格子目
【図１】
0003695588.tif 000002
【図２】
0003695588.tif 000003
【図３】
0003695588.tif 000004
【図４】
0003695588.tif 000005
【図５】
0003695588.tif 000006
【図６】
0003695588.tif 000007
【図７】
0003695588.tif 000008
【図８】
0003695588.tif 000009
【図９】
0003695588.tif 000010
【図１０】
0003695588.tif 000011
【図１１】
0003695588.tif 000012